(57)【要約】【課題】  顔の美容法に関しては、さまざまな方法が行われているが、スキンケアーが中心であり、あくまでも現状維持や一時的な回復を期待するものであり、本質的な肌の改善にはなりえないものであった。【解決手段】３０℃以上で炭酸ガス濃度が５００ｐｐｍ以上の高濃度炭酸温水に好ましくは８分以上顔を浸けることにより、皮下の毛細血管の血流が良くなり肌の新陳代謝が活発になる。そして、毎日続けることで皮下の毛細血管が肌に向かって発達すると考えられ、恒久的な肌の改善につながる。この高濃度炭酸温水による顔浴を手軽に行えるように、口と鼻をゲルなどの柔らかい材質で軽く抑え、口部に息ができる開口部を有するパッキンを用い、お面に似た形状の容器を顔に装着し、その容器の中に高濃度炭酸温水を充填した容器から注入し、顔の表皮が高濃度炭酸温水に直接触れた状態を３分から１２分程度保てるように、手軽に顔の炭酸温水美容ができる方法と機器を提案するものである。【選択図】図４
2009018136.tif 000002
【特許請求の範囲】
【発明の詳細な説明】
【技術分野】
【０００１】  本発明は、温度が３０℃以上で炭酸ガスの含有濃度が５００ｐｐｍ以上になるようにした炭酸温水を顔に長時間接触させることによる顔の美容技術に関するものである。【０００２】  また、本発明は、高濃度の炭酸温水にアミノ酸やビタミンなどの美容剤や漢方薬剤を混ぜた美容液あるいは塩分や遊離硫化水素を溶解させた温水を顔表面に長時間接触させることによる顔の美容技術に関するものである。【０００３】  さらに、本発明は炭酸温水を顔表面に接触させる際、桶などに入れた炭酸温水に顔を浸けるのではなく、正面を向いた状態あるいは仰向けになった体勢できるようにした顔の美容技術に関するものである。
【背景技術】
【０００４】  従来から、顔の美容に関しては、さまざまな方法が提案されてきた。たとえば、オイルによる顔のマーサージにより血行をよくすると共に栄養分を刷り込む方法である。【０００５】  あるいは、パックなどのように時間をかけて栄養や水分を肌からしみこませる方法がある。また、超音波やスチームなどにより毛穴を広げて毛穴の汚れを取り除く方法などもある。【０００６】  また、蒸しタオル美容法などのように、顔を保温することにより、やはり血行促進と水分補給を促す方法がある。
【発明が解決しようとする課題】
【０００７】  しかし、これらの方法は一時的に血行を良くし、栄養や水分を補給することは出来るが、本質的な肌の改善になっているかどうかは疑問が残る。すなわち、摩擦や刺激により良くなった血行は、刺激がなくなるとすぐに元に戻り、外から刷り込んだ栄養分や水分は肌に留まることはなく効果はすぐに消えてしまう。
【０００８】  本質的に肌の改善を行う為には、体が持つ本来の機能である新陳代謝を促進してやることが大切である。言い換えると本質的に血行を良くし、さらには毛細血管自体を肌に向かって発達させることが大切である。
【０００９】  肌の老化は血管から運ばれてくる水分保持力の減少と栄養分の不足である。毛細血管を顔の皮膚表面に向かって発育させて、皮下の血流を増加させることにより、本質的な改善効果が期待できる。
【課題を解決するための手段】
【００１０】  人は酸素を吸い炭酸ガスを吐き出しているが、これは吸った酸素が血液により細胞に運ばれて消費され、代わりに炭酸ガスを細胞から引き取って呼気により体外に排出している。
【００１１】  炭酸ガスが高濃度で溶解した炭酸温水に肌を浸すと、炭酸ガスが皮膚から吸収され、吸収された炭酸ガスは毛細血管に入り、そして炭酸ガスが毛細血管内に増えると、体は炭酸ガスを早く排出しようとして、毛細血管を流れる血液量を増やすという報告がある。
【００１２】  この毛細血管の血行促進により、肌への酸素・水分・栄養の補給が増加され肌本来の機能である新陳代謝が促進される。炭酸温水で肌を浸すのを止めるとすぐに血流量は元に戻るが、この炭酸温水浴を続けることにより、次第に毛細血管自体が皮膚に向かって発達すると報告されている。
【００１３】  本発明は、この炭酸温水浴を顔に対して応用する物である。方法としては顔を温水に浸す方法があるが、息ができないのでスノーケルのような呼吸補助具が必要なことと、水泳が不得意で水に顔を浸けるのが怖い人にとってはなかなか馴染めない方法である。
【００１４】  本発明においては、炭酸温水を収納できるお面容器を顔に装着し、そのお面容器の中に炭酸温水を注入し、顔表面に炭酸温水が長時間接触する構造とした。そして、鼻と口の部分は逃がすか、又は鼻部分はしたから押し当てるようにして塞ぎ口だけで息ができるようにし、呼吸に支障がない形状とした。これにより、顔を炭酸温水に浸けるのではなく、通常姿勢である前を向いた姿勢や仰向けの姿勢でも炭酸温水に顔を浸けているのと同じ状態を作ることが可能となった。
【００１５】  ここで、炭酸温水が肌と接触している間だけ接触している部分の肌直下の毛細血管の血流が良くなるが、炭酸温水との接触を止めたとたん血流は元に戻る為、少なくとも３分から５分以上望ましくは１０分間連続的に炭酸温水に肌が接触していることが重要である。本発明の方法であれば、口と鼻の部分は温水に浸かっていない為、口や鼻で呼吸をすることが可能であり、長時間続けることが可能である。
【００１６】また、高濃度炭酸温水による美容法は毎日続けることが大切である為、手軽にどこででもできるように、お面容器と２本のホースで連通した液密に保てる充填容器を用い、この充填容器のキャップ部又は容器内の底部近くに炭酸温水管路の開口部が配置され、他方空気用の管路開口部が、前記炭酸温水用の管路開口部と反対側に配置させておいて。前記充填容器に炭酸温水を所定量充填し前記キャップを液密に閉めて、充填容器を顔の位置より高くして前記装着容器内に水位差を利用して炭酸温水を送り込み、前記２本の連通管路の炭酸温水ようの管路を閉鎖して前記装着容器内に炭酸温水が保たれるようにした美容方法と装置を提案する。
【００１７】  また、炭酸温水を入れた桶容器と顔に装着するお面容器と桶容器から炭酸温水を吸い上げてお面容器へ送水しお面容器から排出された温水を再び桶容器に戻す循環ユニットを好きな場所に運んで使用できる方法と機器を提案する。
【発明を実施するための最良の形態】
【００１８】  図１は本発明における実施例の１つを示す。図１は側面から見た図で一部を破断面として示したものである。お面容器２の一部、鼻の部分が楕円の筒状に顔側に張り出していて、その底面が開放して呼吸管路３と成っている。この部分に鼻押パッキン４が内側から液密になるように押し込まれている。【００１９】お面容器２の下部には空気管路用ニップル５と炭酸温水用ニップル８がお面容器２から液漏れが無いようにパッキン１０を介して固定されている。空気管路用ニップル５には空気ホース６がお面容器２の上部まで延びていて開口部７の先端に位置地するように配置されている。【００２０】また、お面容器２装着時にお面容器２内に収容された炭酸温水が外部に漏れないように板状の面パッキン部１１の外周部にお面容器２の外縁を抱え込む形で液漏れ防止部１２を有し、お面容器２と接着材で液密にするか、外側からアルミ板内蔵の軟質樹脂のコの字型飾り帯で面パッキン１１の外縁を抱え込む部分を圧迫して液漏れがないようにしても良い。また面パッキン１１の内周部には切裂防止山１３が付いている。またこの切裂防止山１３が外側に向かって２重又は３重に配置されていても良い。これによりユーザーの顔が大きすぎたらこの切裂防止山１３に従いハサミをいれて開口部２０を各自が好きなように大きくすることができるようになっていても良い。【００２１】また、お面容器２のほぼ中央部の左右にゴムバンド１４が可動自在に装着されていて、このゴムバンド１４は反対側の端の部分にマジックテープが付いていて左右のゴムバンド１４を引っ張ってこのマジックテープでお面容器２を顔に装着できるように構成されている。或は、図示されたものとは違う形の物、例えば、ほぼ三角形のしなやかな樹脂板をお面容器２に回動自在に取付、この板に布状に編んだ樹脂バンドを２本取り付、１本はお面容器２の重さを支え、もう１本は顔に押し付けるような位置に配置したものに、各々マジックテープを取り付けて顔に装着できるようにしても良い。【００２２】鼻から炭酸温水が入らないで口から息ができるように極めて柔らかい市販名エクスジェルのような材質で成形したものを使用すると好ましい、また、充填材に使われるジェル部材を成形し表面にシリコン膜やウレタン膜でカバーしたもの、又は、柔らかい袋状に型成形されたうす膜のシリコンゴムやポリエチレンや塩ビシートの容器に空気や液体を少なめに入れ、もれないように密閉したものを鼻押さえ用のパッキンとして使用しても良い。【００２３】鼻押パッキン４には中央部の空気穴１５の外側である楕円状の口パイプ３が外部と連通していて口から外部の空気を吸い込んだり、また吐き出したりできるため長時間装着が可能である。
また鼻押パッキン４はこの口パイプ３の外周に押し込んでセットする。この口パイプ３が楕円形状のパイプであるため鼻押パッキン４を逆にしてセットしても回転しないため、口と鼻の距離が個人個人違っても鼻押パッキン４の穴位置から上部面１６と下部面１７の距離を変えておけば反転させてセットするだけで調整が可能となる。【００２４】この鼻押パッキン４の貫通孔１５の中心と上面部１６との距離に対し下面部１７までの距離が長くなるように成形されている。これは口と鼻の距離に個人差があるため鼻押パッキン４を上下逆にして使用すれば、おおよその距離の違いが吸収できるように成っている。【００２５】  図２はお面容器２の顔を入れる側から見た形状を示している。板状の面パッキン部１１の中心側に切裂防止山１３があり破線１６部分が図１では「くの字」に曲がった部分で上下部分より顔側に出っ張っている。この出っ張り部２１により顔を顎からいれ易く、しかも、しっかり面パッキン部１１の面と切裂防止山１３の縁で喉の皮膚を押さえて液漏れしないようにセットできる。【００２６】  尚、顔を押し込むと面パッキン部１１の部分が延びて顔にぴったりとヒットするように成っている。またこの時、左右にある厚みが増えている補強部２１で目じりの凹みに隙間が開かないように面パッキン部１１を強く顔の皮膚に押し当てるように成っている。【００２７】図３はお面容器２を顔に装着した状態を前からみた形状を示している。お面容器２はピンク色の透明素材に少し曇りがかった樹脂材料で成形するのが望ましい。女性には閉所恐怖症の方がおられるため、目をつぶっても光が入ってくる材質が望ましい、また、お面容器２の左右に装着用のゴムバンド１４が在り、また、下側から上に向かってシリコン材質の空気ホース６が内側外周に沿って配置され最上部に開口部が配置されている。【００２８】  また、充填容器２５内の炭酸温水２４が空気ホース６の開口部に届かない程度の液量であるか又は、充填容器２５の位置をお面容器２より高くしホース管路がお面容器２の上部より高い位置にセットできるように空気管路用ニップル５をお面容器２の上部に取り付ける場合（図示せず）の実施例を示す。【００２９】  使用上で充填容器２５を設置位置に拘束されないようにするには、浮球７−１を使用した逆止弁７−２（図５に記載）を空気ホース６の最上部に取り付けると良い。この場合の逆止弁に使用する弁体は水に浮く球体のポリプロピレンなどの材質にする必要がある。【００３０】  図３は鼻押パッキン４を前から見た場合の形状を示す図で、鼻押パッキン４はほぼ四角形であり、また、口パイプ３が楕円形状をなしその中心位置から上面部１６と下面部１７との距離が同じでないように成形品するのが好ましい。
また、図３のように鼻が鼻押パッキン４の上面部１６に沈み込んで鼻を押さえて炭酸温水が鼻に入らないようになる、柔らかい材質のパッキンであることが望ましい。【００３１】  図４においては簡易型の炭酸温水美容を可能にする機器の使用形態をしめすものである。充填容器２５が図４では逆さに描かれているのは、炭酸温水美容を開始した状態を示すためである。充填容器２５内の炭酸温水２４をお面容器２に水位差を利用して送り込んでいる状態を示している。
まず、充填容器２５をホースタケノコ２８と２９が上になるようにしてキャップ２６のネジを緩めて充填容器２５から外します。【００３２】このキャップ２６には液止パッキン２７が配置され逆さにしても液が漏れないようになっている。この中に所定の温水を入れ、この温度は３０度以上が望ましい、好ましくは３８度から４０度が効果的である。所定の炭酸ガス発生薬剤、例えば重炭酸ナトリウムにクエン酸やリンゴ酸などの有機酸を加えます。ここで温水は炭酸温水に変わります。【００３３】また、この充填容器２５に薬剤によらず、温水に直接炭酸ガスを吹き込んで作られた炭酸温水、温度３０度以上で、好ましくは３７度から４０度の炭酸温水を所定量投入しておこなうこともできる。また直接炭酸ガスによって作られた炭酸温水の美容効果の優れた面として、例えば、アミノ酸から作られ、炭素数１４以下で１００ナノサイズ位にナノ化して作られた、油であるのに胞水性を上げたセラミド類似物質などを使用する場合に、水に溶けるようになるため炭酸温水に入れて使用できる良い点が生まれると同時に、ナトリウムの妨害に弱い性質がある。炭酸ガスから作られた炭酸温水では、ナトリウムの妨害が無いため、より効果的な組み合わせとなる。たとえば味の素社が考案したＴ３０５などがそれにあたる。【００３４】そのあとで、この生成した炭酸温水にビタミンＣなどを加えます。単純なアスコルビン酸でなく、例えばＡＰＰＳ（アスコルビン酸−２−リン酸−６−パルミチン酸）やパルミチン酸の代わりに他の油脂を持つものが結合したものでも良く、また、これ等は現在とても高価なため、アスコルビン酸のリン酸化物、例えばリン酸Ｌ−アスコルビルマグネシウムやリン酸Ｌ−アスコルビルナトリウムなどでも良い。そのほかにＬシステインやそのアセチル化したＮ−アセチル−Ｌ−システイン（味の素の商品名）やアルブチンやプロリンなどを加えるのが好ましい。【００３５】  また、特殊加工で小さい分子量にして人体に吸収できるように炭素数１４以下にして１００ナノメートル以下に超微細化して胞水生を高めたセラミド類似物質など、また甘草やウスベニアオイなど数種の漢方製剤エキスを加えるのも更に好ましい。【００３６】また、ＰＣＡソーダ（ピロリドンカルボン酸ナトリウム）と糖の１種であるトリハロースを加えるのも大変好ましい。これはＮＦＭ効果（ナチュラルモイスチャーリングファクター、自然の潤滑因子効果）が期待できる。［００２８］から今まで述べた化粧品剤を、毛細血管の拡張効果を作り出す炭酸温水に入れて用いると好ましい美容効果を得ることができる。【００３７】また、炭酸温水美容後に、すぐお肌に塗り込む美容薬剤としてナノ化したＱ１０やＦＧＦ、ＥＧＦ、レチノイン酸やトレチノイン酸、胎盤エキスのローション、ＡＰＰＳ（アスコルビン酸−２−リン酸−６−パルミチン酸）などを含有する化粧品を、炭酸温水美容後に、すぐお肌に塗り込むと、今まで使用されてきたこれらの薬剤を含有する化粧品の使用方法より、極めて高い効果が期待できる。こうした炭酸温水浴と組み合わせる美容方法が今までにはない、お肌のより高いアンチェイジング効果をもたらす新しい美容方法である。【００３８】次に、前記充填容器２５にエアー管３���と連通する空気管路用ニップル２９及び炭酸温水用ニップル２８が液漏れのないように配置されている。このキャップ２６のネジ部を介して充填容器２５を液密に閉じる。このキャップ２６には液漏れ防止のパッキン２７が装着されている。図４では、充填容器２５の炭酸温水２４がお面容器２の無い容積より少ない量である場合の実施例であり、炭酸温水２４を充填容器２５からお面容器２に送水中の状態を示している。【００３９】充填容器２５を手で持てるようになっている。また、この中の炭酸温水は手で持ち上げる事により、充填容器２５からお面容器２に水位差を利用して送り込む事ができるようになっている。この時お面容器２内の空気はホース６の上部に配置された開口部７に浮球７−１を有する逆止弁７−２をつけ、空気ホース６に炭酸温水が入らないようにすると充填容器２５を何処においても使用できる。
また、お面容器２の中の空気は押し出されてホース３６を通って空気管路用ニップル２９を通りエアー管３０から充填容器２５内の上部空間に溜まるようになっている。
充填容器２５にキャップ２６を閉めた時点で、お面容器２と充填容器２５の関係はホース３５と３６により閉鎖空間を形成している。【００４０】炭酸温水が充填容器２５から、顔のおでこ辺りまでお面容器２のほうに移動したら空気ホース６に炭酸温水２４がお面容器２から流入しないように充填容器２５を保持します。この実施例は充填容器２５内の炭酸温水２４の量が空気ホース６の上部位置に達しない程度に入れることが求められる。【００４１】お面容器２の中に炭酸温水２４が充満してくると当然息ができなくなる、このため口の部分が外部に空気通路１５により解放されている。口と鼻を押さえる鼻押パッキン４は特に柔らかいパッキン材質が好ましい。例えば市販されているエクスジェルに被服処理を施したものとか超低硬度シリコンゴム（ＪＩＳＡ高度０）や発泡ポリウレタン又は、薄いシリコンや軟質のポリ性容器に空気又は多価アルコールなどの液体を入れて弾力を持たしたものなども好ましい。【００４２】鼻を軽く押さえて圧迫しながら柔らかい鼻押パッキン４が鼻から水が入るのを防いでいる。この鼻押パッキン４は断面が楕円形状の口パイプ３により液密にお面容器２と液密に勘合している。鼻押パッキン４をセットする場合、鼻と口の位置が個人個人違うため空気通路１５なら上下表面までの距離が異なる長さになっている、このため鼻の位置が違う場合でも、反転して口パイプ３に差込むことで、ほとんどの人に合うように成っている。【００４３】この他の方法としては特に柔らかいジェル材のパッキンの形状で鼻までの位置を調整できるようにすることである。図５は図１とは異なるパッキンでジェル材の上にシリコン被覆した別の形状例を示す。図５の２−２と２−１は自在に位置を変更できるように、ジェル材の面をシリコンで被覆しないようにして何度でも、お面容器２に脱着できるようにした例を示す。【００４４】お面容器２を顔にセットするためにゴム製のバンド１４がお面容器２のほぼ中央辺りに回転自在に配置されている。また、ゴムバンド１４は両方が頭の後ろで、マジックテープで固定できるようになっている。このお面容器２をセットする工程は、まず、面パッキン部１１の中央部に開いた引き裂き防止のための出っ張り部２１を有する内周面２０の開口部に顎から差込み内周面２０を引き伸ばすようにして顔を差し込みます。【００４５】この時、面パッキン部１１の目がくる位置には面パッキンの強度を補強する逆３角形の肉厚を厚くした補強部２１がある。十分に顔が押し込まれた状態で、丁度良い位置でマジックテープの付いたゴムバンド１４でお面容器２を顔に固定します。  炭酸温水を充填容器２５からお面容器２に移動させます。この後、炭酸温水が充填容器２５に戻らないように充填容器２５をお面容器２より高い位置にしておきます。炭酸温水をお面容器２内に留めて置く時間は８分から１２分程度が好ましい。【００４６】図５は鼻押パッキン４が極めて柔らかい接触圧で変形するエクスジェル（他社の商品名）又は、成形されたジェルをシリコンの被覆で覆ったパッキンを使用した場合の実施例を示す。お面容器２の一部を平らにしてそこにエクスジェルの片面が接着できるようにし、また洗えば何度でも接着できるものが販売されているため���ジェルの状態をそのように加工し、エクスジェルの底面をお面容器の壁に接着して鼻と口との距離の違いが個人個人調整して使用する実施例を示す。【００４７】この場合は口パイプ３をなくした形であり、面２−２で接着して液密にできるようになっている。また、接着面２−１の一部が折り曲げて高さを調整できるように接着面２−１は面２−１と同じの面に接着され、折り曲げた形で鼻位置の違いを調整する。また、空気ホース６の最上部の空気取り入れ口に水より軽い樹脂球を使用した逆止弁７−２が付いている、これがあると空気ホース６の中に水が入り充填容器２５に戻すときの流れが滞るようなことが起こらないため使用すると好ましい。他の形式でも充填容器２５を使用する場合は特にあると使い易い。【００４８】図６においては炭酸温水を供給する方法は図４に示した方法と同じ水位差を用いるものであるが、お面容器２の代わりに頭の発毛促進効果や髪のキュウチクルを回復させることを求めに、炭酸温水を頭部の周りに保持するようにした実施例を示す図である。
充填容器２５から供給される炭酸温水はホース３５を通ってヘッドキャップ４７の下部位置に配置されたＬ型ニップル４６を通って頭部にかかりながら面パッキン部１１の液漏れ防止効果でヘッドキャップ４７に溜まっていきます。【００４９】頭部は内周面２０のゴムが持つ引っ張り力によって髪を押さえて供給される炭酸温水が漏れないようにしてある。この場合、空気の排出管も閉鎖して空気がヘッドキャップ４７に供給されないようにするとヘッドキャップ４７の炭酸温水の保持力が良い。またお風呂などで入りながら行うと更に好ましい。【００５０】この時ヘッドキャップ４７の内側には幾つかの突起４９が在ってヘッドキャップ４７の内側が頭部に接触しないように配置してある。ヘッドキャップ４７の中に在った空気はＬ型ニップル４５の下部に装着された逆止弁７−２を通ってホース３６介して充填容器２５のキャップ２６を通って充填容器２５の底部、但し充填中は充填容器２５が逆さになるため最上部の空間に排出されて生きます。【００５１】頭部が完全に炭酸温水に浸ったら、逆止弁７−２が炭酸温水２４により押し上げられてヘッドキャップ４７のホース３６の管路を閉鎖します。１０分から１５分したら充填容器２５を下げると、ホース３５が開通してヘッドキャップ４７内の炭酸温水が充填容器２５に戻ります。【００５２】  図７及び図８は本発明における、今まで述べてきたものとは別の方式による実施例の１つを示す。図７は側面から見た図で図８は正面から見た図である。お面容器５０の両側にあるフック５２にバンド５３を取り付け、シール部材５４が顔に密着するようにお面容器５０をバンド５３で顔に押し付けるように固定する。【００５３】  お面容器５０には炭酸温水の注入部５９が設けられ、送水管路５５が注入部５９に接続されている。一方、お面容器５０には３つの排出部５８，６２，６３が設けられており、排出部５８，６２，６３には排水管路５７、６４、６５がそれぞれ接続されている。排水管路６４は排出部６３で排水管路６５に合流し、排出部８に接続された排水管路５７と排水管路６５は合流部６０で排水管路６１に合流される。【００５４】  ここで、桶などの桶容器１０１に入れられた炭酸温水はポンプ（図示せず）などにより吸い上げられて、送水管路５５を介して注入部５９に送られ、注入部９に設けられた注入口５６からお面容器５０と顔の間に注入される。ここで、注入口５６は長穴であってもよいし、複数の穴で構成されていても良い。【００５５】  炭酸温水がお面容器５０と顔の間に注入されると、注入された炭酸温水は排出部５８と６３から排水されると共に、お面容器５０内の空気が排出部６２から排気されお面容器内５０が炭酸温水で満たされてゆく。そして最終的には排出部６２からも排水される状態になり、お面容器５０内は炭酸温水で満たされ、顔の皮膚は常に炭酸温水に接触した状態となる。【００５６】  ここで、注入された炭酸温水がお面容器５０と顔の間に溜まらずに全て排出部５８と６３から排出されないように、排出部８と１３の内径を僅かに小さくしておくことによりお面容器５０と顔の間に炭酸温水が満たされるようになる。【００５７】  この時、シール部材５４は液体を通さない前記エクスジェルなどの弾性材質で構成された成形パッキンであり、シール部材５４によりお面容器５０内の炭酸温水が外にこぼれ出すのを防いでいる。したがって、注入された炭酸温水はすべて排水管路６１を通って桶などの桶容器１０１に戻される。【００５８】  ここで、前記シール部材５４は液体を通さない弾性体だけではなく、内部が空洞のビニールその中に気体や液体あるいはビンガム体（高粘度で液体と固体の中間体）を封入した物や超低硬度シリコンゴム（ＪＩＳ．Ａ硬度０）や発泡ポリウレタンに発泡クロロプレンゴムを被服した弾性体などで成形しても良い。【００５９】  あるいは内部が空洞のビニールや弾性体などでできており、一方からポンプなどで気体や液体を送り込み、少し断面積を縮小させた出口からその気体や液体を排出し、その排出された気体や液体を前記ポンプに戻して循環する構造でも良く、これらの構造によりシール部材５４が弾力を持ち、顔の凹凸になじんで内部の炭酸温水を外に漏らさない構造であれば、特に構造や材質は制限しない。【００６０】  また、桶などから炭酸温水を吸い上げるポンプを停止する機能と排水管路６１を遮へいする機構を設け、お面容器１と顔の間が炭酸温水で満たされた後、ポンプを停止すると共に、排水管路６１を遮へいすることによりお面容器５０と顔の間に炭酸温水を留め置き、その状態を５〜１０分保つ機構としても良い。【００６１】また、炭酸温水にビタミンＣなどを加えます。単純なアスコルビン酸でなく、例えばＡＰＰＳ（アスコルビン酸−２−リン酸−６−パルミチン酸）やパルミチン酸の代わりに他の親水基を持つものが結合したものでも良く、また、これ等は現在とても高価なため、アスコルビン酸のリン酸化物、例えばリン酸Ｌ−アスコルビルマグネシウムやリン酸Ｌ−アスコルビルナトリウムなどでも良い。そのほかにＬシステインやそのアセチル化したＮ−アセチル−Ｌ−システイン（味の素の商品名）やアルブチンなどを加えるのが好ましい。【００６２】また、特殊加工で小さい分子量にして人体に吸収できるように炭素数１４以下にして１００ナノメートル以下に超微細化して胞水生を高めたセラミド類似物質など、また今話題のフリーラジカルの害を防ぐ球状格子構造を持つフラーレンや甘草やウスベニアオイなど数種の漢方製剤エキスを加えるのも更に好ましい。【００６３】また、ＰＣＡソーダ（ピロリドンカルボン酸ナトリウム）と糖の１種であるトリハロースを加えるのも大変好ましい。これはＮＦＭ効果（ナチュラルモイスチャーリングファクター、自然の潤滑因子効果）が期待できる。［００３２］から今まで述べた化粧品剤を、毛細血管の拡張効果を作り出す炭酸温水に入れて用いると好ましい美容効果を得ることができる。【００６４】また、炭酸温水美容後に、すぐお肌に塗り込む美容薬剤としてナノ化したＱ１０やＦＧＦ、ＥＧＦ、レチノイン酸やトレチノイン酸、胎盤エキスのローション、ＡＰＰＳ（アスコルビン酸−２−リン酸−６−パルミチン酸）などを含有する化粧品を、炭酸温水美容後に、すぐお肌に塗り込むと、今まで使用されてきたこれらの薬剤を含有する化粧品の使用方法より、極めて高い効果が期待できる。こうした炭酸温水浴と組み合わせる美容方法が今までにはない、お肌のより高いアンチエイジング効果をもたらす新しい美容方法である。【００６５】以下に本発明において使用する炭酸温水を生成する装置の例を説明する。
図９は  高濃度炭酸温水生成回路の模式図を示す。桶１０１に溜めたお湯をポンプ１０２により、吸い上げ管路１０３を介して吸い上げ、混合タンク１０４に設けられたノズル１０５により混合タンク１０４内の空間１０６に噴射する。【００６６】  また、炭酸ガスは炭酸ガスカートリッジ１０７から圧力調整器１０８で圧力を調整された後、混合タンク１０４に供給される。混合タンク１０４内の空間１０６は炭酸ガスで満たされており、混合タンク１０４内の底部にはノズル１０５により噴射された温水が貯留されるようになっている。【００６７】混合タンク１０４の底部に溜まっている温水は、ノズル１０５により混合タンク１０４内の空間１０６に噴射されることにより空間１０６に満たされた炭酸ガスを吸収し、高濃度の炭酸温水となっている。そして、この溜まった高濃度炭酸温水は混合タンク１０４の底部に接続された戻り管路１０９により桶１０１に戻される。【００６８】  ここで、混合タンク１０４の底部に溜められた高濃度炭酸温水の水位はある所定の範囲に保たれている。この水位を保つ方法を以下に説明する。
混合タンク１０４には圧力調整器１０８により圧力を調整された炭酸ガスが開閉バルブ１１１を介して供給されている。また、混合タンク１０４の底部に接続されている戻り管路１０９にはオリフィスなどの流量調整部１１０が設けられている。さらに混合タンク４には水位を検知できるセンサー１１２、１１３、１１４、１１５が４つ設置されている。【００６９】  流量調整部１１０と炭酸ガスの圧力調整器１０８は、炭酸ガスの開閉バルブ１１１が開いて炭酸ガスが混合タンク１０４に供給されている時は、混合タンク１０４内の水位が徐々に下がり、また、炭酸ガスの開閉バルブ１１１が閉じて炭酸ガスの供給がなくなると、混合タンク１０４内の炭酸ガスがノズル１０５により噴射された温水に吸収され、水位が徐々に上がるようにそれぞれ調整されている。【００７０】  そして、センサー１１４が水位を検知すると炭酸ガスの開閉バルブ１１１を閉じて炭酸ガスの供給を止め、これにより混合タンク１０４内の炭酸ガスが温水に吸収されて水位が徐々に上昇する。そしてセンサー１１３が水位を検知すると開閉バルブ１１１が開いて炭酸ガスを混合タンク１０４内に供給する。これにより混合タンク１０４内の圧力が上がり、水位は徐々に下降する。そして再びセンサー１１４が水位を検知して開閉バルブ１１１を閉じ水位が上昇し始める。この繰り返しにより、混合タンク１０４内の水位は、センサー１１３と１１４の間に保たれる。【００７１】  図７は炭酸温水を生成する装置の外観を示す。装置本体１２０には炭酸ガスカートリッジ１２１が取り付けられている。この炭酸ガスカートリッジ１２１はねじ込み式で、工具を使わなくても容易に着脱が出来る構造となっている。装置本体の前面には炭酸温水を溜める桶１０１が装着されている。この桶１０１は蓋の役目をなしている。使用時には装置本体から取り外して使用するようになっている。吸い上げ管路１０３と戻り管路１０９は装置本体１２０から出た所で回転自在になっており、先端を桶のお湯に浸けたり逃がしたりすることが出来る。【００７２】  図７を用いて、炭酸温水を生成する装置使用時の動作を説明する。まず、図７のように桶１０１を装置本体１２０から外し、桶１０１に給湯器などからお湯を入れる。そして、図７のようにお湯を入れた桶１０１を装置本体１２０の前に置き、吸い上げ管路１０３と戻り管路１０９の先端を桶１０１内のお湯に浸ける。【００７３】  次に、装置本体上部にあるスイッチ１１６を押す。すると、混合タンク１０４に接続された排気管路１１７の途中に設けられた開閉バルブ１１８が開くと共にポンプ１０２が運転される。これにより、桶１０１内のお湯が吸い上げ管路１０３から吸い上げられ、ポンプ１０２を通って混合タンク１０４内にノズル１０５から噴射される。このとき、炭酸ガスの開閉バルブ１１１は閉じた状態にある。【００７４】  混合タンク内の空気は排気管路１１７を通り戻り管路１０９を通って桶１０１に放出される。そして、混合タンク１０４内の空気が完全に抜けて混合タンク１０４内がお湯で満たされたことをセンサー１１２が検知すると開閉バルブ１１８が閉じ、排気管路１１７からの排気が遮断されるとともに、炭酸ガスの開閉バルブ１１１が開き炭酸ガスが混合タンク１０４に供給される。これにより、混合タンク１０４内の水位は徐々に下がり、空間１０６は炭酸ガスだけになる。【００７５】  ノズル１０５から噴射されたお湯は混合タンク１０４内の空間１０６で炭酸ガスと接触して炭酸ガスを吸収して高濃度炭酸温水となり、混合タンク１０４の底部に貯留し、さらに混合タンク１０４内の炭酸ガスの圧力で戻り管路１０９を通って桶１０１に戻される。この循環により桶１０１内のお湯の炭酸ガス濃度が上がってゆく。【００７６】  所定の時間が経過すると、炭酸ガスの開閉バルブ１１１を閉じ、吸い上げ管路１０３から分岐した吸気管路１２３の先端に設けられた開閉バルブ１２４を開く。これにより、吸い上げ管路１０３に空気が入りポンプ１０２は桶のお湯を吸い上げなくなる。吸気管路から入った空気はポンプ１０２を通って混合タンク１０４内に送られ、混合タンク内の高濃度炭酸温水を全て戻り管路１０９に押し出す。【００７７】  混合タンク１０４内の水位がタンク下部まで下がるとセンサー１１５が水位を検知しポンプの運転を停止して動作を終了する。これら一連の動作により、桶１０１に入れたお湯は全て高濃度炭酸温水となり、装置本体内の高濃度炭酸温水もほとんど桶１０１に戻されて生成を完了する。【００７８】  炭酸温水生成装置本体１２０は必ずしも小さいとは言えないため、家庭においては装置本体１２０を居間のテーブルや寝室に設置しておくことは好ましくない。また、業務用途であっても装置本体１２０ごと持ち運ぶのも良い方法ではない。したがって、桶１０１の部分だけを分離して持ち運べることも重要用件である。【００７９】  混合タンク１０４内の水位を保つ方法として、炭酸ガスの開閉バルブ１１１の開閉ではなく、開閉バルブ１１１は開けたままにしておき、ポンプ１０２の回転数を変えるか又は、戻り管路１０９に電動式流量調整バルブや開閉バルブ（図示せず）などを設けて、混合タンク１０４への給水量や排水量を調整しても良い。【００８０】  また、炭酸ガスカートリッジ１２１の炭酸ガスが空になると、開閉バルブ１１１が開いても炭酸ガスの圧力によって混合タンク１０４内の高濃度炭酸水を押し出すことが出来なくなり、混合タンク１０４内の水位が下がらなくなる。その場合、開閉バルブ１１１が開いた後、ある時間以上経過してもセンサー１１４が水位を検知しない場合は、炭酸ガスが無くなったと判断して、ポンプ２の運転を停止して警告表示を行う。【００８１】  さらに、吸い上げ管路１０３が桶１０１内のお湯の面から出ている場合やポンプ１０２が動作しない場合、運転開始時においては混合タンク１０４にお湯が送られないため、いつまで経っても混合タンク１０４内の水位が上がらずセンサー１１２が水位を関知しない。その場合も、ある所定時間が経過してもセンサー１１２が水位を検知しない場合は異常としてポンプ１０２の運転を停止して警告表示を行う。【００８２】  また、運転途中に吸い上げ管路１０３が桶１０１のお湯の面から出されるか、ポンプ１０２が動作しなくなった場合も、混合タンク１０４にお湯が供給されなくなる為、開閉バルブ１１１が閉じても混合タンク１０４内の水位は上がらず、徐々に下がってセンサー１１５が水位を検知する。センサー１１５が水位を��知した場合、直ちにポンプ１０２を停止し警告表示を行う。【００８３】  図１０は炭酸温水を生成する装置のもう一つの実施例である。図７および図９では桶１０１に溜めたお湯を吸い上げ管路１０３で吸い上げたが、本実施例では給湯器（図示せず）などの一定の湯温のお湯を供給できる装置から直接お湯を、給湯管路１２６を介してポンプ１０２に供給し、混合タンク１０４で生成された高濃度炭酸温水を桶１０１に溜めるものである。【００８４】  本発明においては、使用する炭酸温水は上記実施例で示した装置で作ることに限定しているわけではなく、市販の炭酸水をお湯でうすめて使用しても良いし、まったく別の方法で作った炭酸温水を使用してもかまわない。
さらに上記実施例では炭酸温水生成装置の桶が本体と分離できる構造となっているが、桶が本体と分離できない一体構造であってもかまわない。
また、炭酸ガスはカートリッジにより供給されているが、５リットル以上の炭酸ガスボンベから供給してもかまわない。【００８５】  ここで、戻り管路１０９と接続アダプタ６６はねじ６７などで着脱自在に構成されていても良いし、接続アダプタ６６を用いずに両管路を１本の管路として分離できない構成としても良い。また、桶１０１と炭酸温水製造装置が分離できない一体構造となっていてもかまわない。
さらに、吸い上げ管路１０３先端に取り付けられたフィルタは図７にしか記載されていないが、図９〜１０の実施例においても取り付けても良い。【００８６】  さらに、上記のお面容器５０や炭酸温水を溜めておく桶、あるいは桶１０１や装置１２０にヒーターなどの加温装置を組込んで、炭酸温水の温度低下を防止し、任意の温度に保つ機能を付加するとさらに良い。【００８７】図１１においては充填容器２５からお面容器２に炭酸温水２４を供給又は回収する管路は１本の管路のみで行うことを特徴とする実施例を示す。供給及び回収のホースはホース３５のみで今まで述べた戻りのホース３６が無い場合の実施例を示す。【００８８】供給管路のホース３５にローラ式バルブＢＬがあり、充填容器２５からお面容器２に炭酸温水２４が供給されたらローラ式バルブＢＬのローラ７１を矢印Ｒの方向に転がしながら底板７３とローラガイド７４との傾斜を利用してホース３５を圧迫して管路を閉鎖する、ローラ７１はガイド溝７４によって底板７３との距離が狭まるように底板７３とガイド溝７４の角度は先端いくほど狭まるような角度となっている。８分から１０分程度、顔の炭酸温水浴を行なう。【００８９】その後、ローラ式バルブＢＬのローラ７１矢印Ｏの方向に転がして開きます。お面容器２内の炭酸温水２４はホース３５を通って充填容器２５に戻ります。この時お面容器２の最上部に開いているエアー供給口７−Ａから外気の出入りができるように成っているため充填容器２５からの供給や回収が容易に行える。【００９０】また、充填容器２５のキャップ２６に付いている空気供給用の管路としてエアー管３０が配置されていて充填容器２５からお面容器２への炭酸温水２４供給時に充填容器２５内に負圧が生じないように、その開口部が充填容器２５の底位置（供給時は上方に位置している）と充填容器２５の外部と連通して容器内が負圧にならないようにして、水位差による圧力で面容器２に炭酸温水が流れ込み易くしている。【００９１】お面容器２を使用して炭酸温水美容を行う場所がお風呂の湯船の中である場合は図１１に示すような形状で、エアー口７−Ａから炭酸温水が溢れて出してもなんら気にならないので、最上部の空気排出口に逆止弁などを付ける必要がない。
また、本発明ではローラ式のバルブを使用しているが使い易いものならばどんなバルブでも良い。【００９２】また、キャップ２６の蓋面のいずれかの箇所に逆止弁２９−１を内蔵して充填容器２５を逆さにした時、内部の炭酸温水が流れ出さないようにし、キャップ２６を上にした場合にエアー管３０を通らずに充填容器２５の上部に空気を供給できるようにすると充填容器２５から炭酸温水をお面容器２に供給した後で充填容器２５の置き方を、図とは逆の状態、充填容器２５の底が下側に来る状態でも温水の回収時にエアーがキャップ２６の内側から外に排出されるので、回収が良好になり使用上に制約がなくなり一層使い易くなるので更に好ましい。【００９３】しかし、これ等の逆止弁７６や２９−１などが無くてもお面容器２内に炭酸温水を、落差を使って送り込むのになんら支障は無い、また、利用する場所が大体お風呂の浴槽水内になるため、通常は無くても商品性は失われない。
また、エアー管３０の出口部に逆止弁７６をつけて配置すると炭酸温水の入った充填容器２５にキャップ２６に蓋をするときに、エアー管３０に炭酸温水が入らないため充填容器２５を逆さにしても少量の温水がこぼれ出ることを防ぐことができる。以上の述べた２つの逆止弁に関しては、他の実施例においても充填容器２５を使用する場合には共通する効果をもたらす要素である。【００９４】図１２においては、エステ業界や理美容の業界で使用されることを主たる用途とした、頭部の髪の毛にかんする美容効果を目的とした実施例です。エアー管路と炭酸温水供給及び回収管路の２つの管路を有することを特徴とする実施例を示すものである。ホース３５からキャップ容器８１が装着してから洗髪浴槽７７に頭ごと傾けた状態で下側からニップル８２を通ってキャップ容器８１に充填容器２５を頭より高い位置に持ち上げて落差を利用して送り込みます。【００９５】ホース３６がキャップ容器８１に接続されている位置は、ほぼ最上部に位置し、ここから水に浮く樹脂球７−１を使用した柔らかいシリコンゴム性の逆止弁７−２を通って、まずキャップ容器８１内の空気がホース３６から充填容器２５の内の底の部分（逆さにして送り込むため上側）に押し出されます。キャップ容器８１内の炭酸温水が逆止弁７−２に到達すると中の樹脂球が浮いて出口部でパッキン機能部分と接触して管路を閉鎖します。【００９６】また、キャップ容器８１には図２に示した類似形状の面状のパッキンで外周は図２のお面容器２のシール方法と同じである。キャップ容器８１と接着にするか外側からコの字型の金具入りの樹脂カバーで押さえ込むかして液密にします。但しキャップ容器８１が洗髪浴槽７７の上にあるのであまり高度な液密性は必要としない。耳の部分はキャップ容器８１の中に入れても出してもどちらでも良い。【００９７】図１４は図１３に示したキャップ容器８１を用いた頭髪美容方法とその実施例を示すものであるが、キャップ容器８１への炭酸温水２４の供給及び回収管路が１つの管路で行いエアー管路が充填容器２５に連通していない事を特徴とするものであり、図１１や図１２に示す形態と同じ方法を採用している実施例である。キャップ容器８１の最上部近傍にエアー口８９が外部に開放されている。また、バルブＢＬの操作方法も前述の方式と同じである。【００９８】本発明における形態は主に理美容やエステなどで様々な炭酸温水に美容剤を混合してその種類の違う物を取り替えて、１度に異なる頭髪美容を行うことができるようにしてある。このためホース３６の途中に着脱自在のカップリング７８を配置してある。しかも、指でレバーを押すと簡単に外れるもので、外すと同時に内蔵したチェックバルブが働き、ホースの両端から液漏れが生じない構造のものが望ましい。【００９９】図１５においては図７と図１０に書かれた桶１０１が単に置けとして、機能するだけではなく、濾過や保温機能及び水位制御機構を備えた実施例を示す。給湯管路１２６には上流側に３方切り替バルブ６９があり、この３方切り替バルブ６９の管路が初めはタンク１０１Ａに連通しており、タンク１０１Ａ内のフロート水位センサー９９が上昇してスイッチがＯＮの状態になると、３方切り替バルブ６９が切り替わって給湯管路１２６とタンク１０１Ａとが連通する。管路を切り替える方法は３方切り替バルブに限定するものではない。【０１００】また、戻り管路１０９にはオリヒス１１０と３方切り替バルブ６８があり管路の下流はタンク１０１Ａに接続し、このタンク内の温水が装置本体１２０に供給される。この構造は図９や図１０に示した機構と同じであり、その炭酸温水生成工程も同じでるため、ここでは省略する。装置本体１２０で炭酸ガスを供給された温水に吸収させてタンク１０１Ａ内の温水が所定の炭酸温水濃度になると、３方切り替バルブ６８がキャップ容器８１側のホース３５Ａの管路と連通する。【０１０１】この管路にはワンタッチジョイント７８と７８Ａが配置されて脱着可能な形態が確保されている。このワンタッチジョイントには外した時、ホース３６や３方切り替バルブ６８側のホースから液漏れがないように逆止弁が内蔵されている。
また、このワンタッチジョイント７８Ａは全く同じ構造のワンタッチジョイント７８Ｂが差し替え可能な形で、排水時に排水管路と連通するように配置されている。【０１０２】生成された炭酸温水はホース３５Ａからキャップ容器８１のニップル８２を通って内側に供給され、キャップ容器８１内の空気を押し上げて上部にある開口部７からホース３６Ｂを通ってタンク１０１Ａに流れ込み、フィルター１００で髪の毛や垢などが濾過され、フィルター１００の下に溜まり、温度制御を有するヒター７９で温度が一定に保たれる仕組みになっている。また、キャップ容器８１は前に述べてあるため構造の説明は省略する。【０１０３】また、この濾過された炭酸温水は３方切り替バルブ６９を通ってポンプ１０２で加圧されてノズル１０５によりシャワー状に混合タンク１０４の中に噴射されて炭酸温水の濃度が常に最適な濃度に維持できる、また、炭酸ガスを混合タンク１０４に供給しないで単に循環させることもできる機構になっている。これら濃度補充や循環工程時には、３方切り替バルブ６９により給湯管路１２６からの送水は閉じられている。タンク１０１Ａ内のフィルター１００は交換又は取り出して洗浄できる構造に成っている。【０１０４】この方法はエステなどで炭酸温水の濃度を高濃度に保ちしかも水温も最適の温度に維持して１０分から２０分間、髪のキュティクルケアーや発毛のための毛細血管活性化の工程をリラックスして行えるようにするものであり、この間、エステシャンは他の人の施術ができるよう自動で管理され、濃度と温度の維持ができるようになっている。また、前述の薬剤又は髪に良い薬効のあるものをタンク１０１Ａに薬剤投入口９８から入れておくと更に効果的である。【０１０５】また、施術が終わったら、洗材と殺菌剤を薬剤投入口９８から投入して、洗浄運転をスタートします。キャップ容器８１内が綺麗になったら、ワンタッチジョイント７８と排水側と連通したワンタッチジョイント７８Ｂと接続してタンク１０１Ａ内の液を排水管に流します。次に３方切り替バルブ６９を給湯管路１２６とタンク１０１Ａが連通するようにし、オバーフロー管７８Ｄとドレン管７８Ｃにより洗浄しながら排水する。また、ドレン管７８Ｃには開閉バルブ７８Ｅが配置してある。また、３方切り替バルブ６８を切り替えてキャップ容器８１やフィルター１００を洗浄できるように成っていても良い。
【発明の効果】
【０１０６】  従来の美容方では行われなかった長時間の顔浴を、高濃度炭酸温水を使って行う事により、炭酸ガスが肌表面から皮下の毛細血管に入り、これにより毛細血管の血流を促し新陳代謝を活発にすることが出来る。新陳代謝が活発になると肌の細胞への水分や栄養の補給が活発になり、肌本来の美しさを中から、取り戻すことが出来る。また、高濃度炭酸温水による顔浴を続けることにより毛細血管が肌に向かって発達し、持続的に肌を若返らせることができる。
【０１０７】  本発明により手軽に高濃度炭酸温水による顔浴が出来るようになり、毎日続けることが可能になる。また、水に顔をつけることが出来ない人でも高濃度炭酸温水による顔浴を少なくとも５分以上連続して行う事ができるようになる。また、頭皮の発毛促進も毛細血管の減退が原因と考えられている、このため頭皮や髪の毛に炭酸温水浴を行うことにより、発毛や髪のキュティクルの改善が期待できる。
また、高濃度炭酸温水だけではなく、付加的に活性型ビタミンＣなどやアミノ酸類やトリハロースなどの糖類やミネラル豊富な塩類を混ぜることによりさらに効果を上げることが期待できる。
【０１０８】  本発明により、女性の永遠の願望である「いつまでも若々しくいたい」という願いを肌の内側から細胞レベルで活性化させて本質的な肌の改善が実現できる。
【図面の簡単な説明】
【０１０９】
【図１】本発明のお面容器２の実施例の側面図を示す。
【図２】本発明のお面容器２の背面図で面パッキン部１１の形状を示す。
【図３】本発明のお面容器２の正面図で鼻押パッキン４の鼻押さえ状態を示す。
【図４】本発明のお面容器２と充填容器２５の実施例の側面図を示す。
【図５】本発明のお面容器２の異なるジェル性パッキン使用と空気ホース６に装着された逆止弁７−２の側面断面図を示す。
【図６】本発明のヘッドキャップ４７と充填容器２５の実施例の側面図を示す。
【図７】炭酸温水生成装置の循環式実施例とお面容器５０の外観図を示す
【図８】本発明のお面容器５０の正面図で給排水管路と位置を示す。
【図９】炭酸温水生成回路の模式図を示す。
【図１０】炭酸温水生成回路の模式図を示す。
【図１１】本発明のお面容器２と充填容器２５の１本の管路で連通する実施例の側面図を示す。
【図１２】本発明のヘッドキャップ４７と充填容器２５の１本の管路で連通する実施例の側面図を示す。
【図１３】本発明の業務用ヘッドキャップ８１と充填容器２５の実施例の側面図を示す。
【図１４】本発明の業務用ヘッドキャップ８１と充填容器２５の１本の管路で連通する実施例の側面図を示す。
【図１５】頭皮や頭髪美容における、炭酸温水生装置である装置本体１２０による業務用ヘッドキャップ８１を使用する場合の自動化の機構模式図を示す。
【符号の説明】
【０１１０】口パイプ３、鼻押パンキン４、お面容器２、空気管路用ニップル５、２９、空気ホース６、開口部７、浮球７−１、逆止弁７−２、炭酸温水用ニップル８、２８、面パッキン部１１、パッキン１０、呼吸管路３、液漏れ防止部１２、貫通孔１５、貫通孔１５、上面部１６、下面部１７、切裂防止山１３、開口部７、出っ張り部２１、液漏れ防止部１２、補強部２１、ゴムバンド１４、空気穴１５、上部面１６、下部面１７、キャップ２６、パッキン２７、バルブＢ、ローラ３９、ホース３５、３６、底面２７、エアー管３０、バルブＢＬ、底面７３、内周面２０、接着面２−１、接着面２−２、ヘッドキャップ４７、お面容器５０、フック５２、バンド５３、送水部５４，送水管路５５、注入口５６、排水管路５７、排出部５８、注入部５９、合流部６０、排水管路６１、排出部６２、排出部６３、排水管路６４、排水管路６５、接続アダプタ６６、薬剤投入口９８、３方切り替バルブ６９、６８、ワンタッチジョイント７８、７８Ａ、７８Ｂ、オバーフロー管７８Ｄ、ドレン管７８Ｃ、７８Ｅ、キャップ容器８１、フロート水位センサー９９、桶１０１、タンク１０１Ａ、ポンプ１０２、吸い上げ管路１０３、混合タンク１０４、ノズル１０５、空間１０６、炭酸ガスカートリッジ１０７、圧力調整器１０８、戻り管路１０９、流量調整部１１０、開閉バルブ１１１、センサー１１２、センサー１１３、センサー１１４、センサー１１５、スイッチ１１６、排気管路１１７、開閉バルブ１１８、貯蔵部１１９、装置本体１２０、炭酸ガスカートリッジ１２１、吸気管路１２３、開閉バルブ１２４、フィルター１２５、１００、給湯管路１２６、
【図１】
2009018136.tif 000003
【図２】
2009018136.tif 000004
【図３】
2009018136.tif 000005
【図４】
2009018136.tif 000006
【図５】
2009018136.tif 000007
【図６】
2009018136.tif 000008
【図７】
2009018136.tif 000009
【図８】
2009018136.tif 000010
【図９】
2009018136.tif 000011
【図１０】
2009018136.tif 000012
【図１１】
2009018136.tif 000013
【図１２】
2009018136.tif 000014
【図１３】
2009018136.tif 000015
【図１４】
2009018136.tif 000016
【図１５】
2009018136.tif 000017
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
顔に液体を収容できる構造のお面容器を装着し、該お面容器は空気排出管路の開口部を上部に、液体の給排水管路開口部を下部に有するお面容器であり、該お面容器に溶存炭酸ガス濃度が５００ｐｐｍ以上で湯温が３０℃以上の炭酸温水を収容し、少なくとも３分以上炭酸温水を顔に接触させることを特徴とする炭酸温水による顔の美容方法。
【請求項２】
前記お面容器と２本のホースで連通した液密に保てる充填容器を有し、該充填容器のキャップ部又は容器内いずれかの底部近傍に炭酸温水用管路開口部が配置され、他方空気用管路開口部が前記炭酸温水用管路開口部と反対側に配置されているものにおいて。前記充填容器に炭酸温水を所定量充填し前記キャップを液密に閉めて、前記容器を顔の位置より高くして前記お面容器内に水位差を利用して炭酸温水を送り込み、前記２本の連通管路の少なくても１つの管路を閉鎖するか、又は充填容器をお面容器より高い位置に保ち前記お面容器内に炭酸温水が保たれるようにして行うことを特徴とする請求項１記載の炭酸温水による顔の美容方法。
【請求項３】
最上部近傍に外部と連通する開放口を有する前記お面容器とホースなどで連通した連通管路を有する充填容器と、該充填容器のキャップ部又は容器内いずれかの底部近傍に炭酸温水用管路開口部が配置され、他方空気用管路開口部が前記炭酸温水用管路開口部と反対側に配置されているものにおいて。前記充填容器に炭酸温水を所定量充填して、前記容器を前記お面容器の位置より高くし水位差を利用し前記お面容器内に炭酸温水を送り込み、前記連通管路を閉鎖するか、又は前記充填容器を前記お面容器より高い位置に保ち前記お面容器内に炭酸温水が保たれるようにして行うことを特徴とする請求項１記載の炭酸温水による顔の美容方法。
【請求項４】
最上部近傍に外部と連通する開放口を有する前記お面容器とホースなどで連通した連通管路を有する非液密型容器と、該非液密型容器の底部近傍に炭酸温水用管路開口部が配置されているものにおいて。前記非液密型容器に炭酸温水を所定量充填して、前記非液密型容器を顔の位置より高くして前記お面容器内に水位差を利用して炭酸温水を送り込み、前記連通管路を閉鎖するか、又は前記充填容器を前記お面容器より高い位置に保ち前記お面容器内に炭酸温水が保たれるようにして行うことを特徴とする請求項１記載の炭酸温水による顔の美容方法。
【請求項５】
頭部に液体を収容できる構造のキャップ容器を付け、該キャップ容器は空気排出管路の開口部を上部に配置し、液体の給排水管路開口部を前記キャップ容器のいずれかの位置に配置したものであり、前記キャップ容器に溶存炭酸ガス濃度が５００ｐｐｍ以上で湯温が３０℃以上の炭酸温水を収容し、少なくとも３分以上炭酸温水を頭皮に接触させて行うことを特徴とする炭酸温水による頭皮及び毛髪の美容方法。
【請求項６】
頭部に液体を収容できる構造のキャップ容器を付け、該キャップ容器は空気排出管路の開口部を上部に配置し、液体の給排水管路開口部をキャップ容器のいずれかの位置に配置したものであり、前記キャップ容器と２本の管路で連通した液密に保てる充填容器を有し、該充填容器のキャップ部又は容器内いずれかの底部近傍に炭酸温水用管路開口部を配置させ、他方空気用管路開口部が前記炭酸温水用管路開口部と反対側の位置に配置されているものにおいて、前記充填容器を頭部の位置より高くして前記キャップ容器内に水位差を利用して炭酸温水を送り込み、前記２本の連通管路の少なくても１つの管路を閉鎖するか、又は前記充填容器を前記キャップ容器より高い位置に保って、前記キャップ容器内に炭酸温水を保つようにして行うことを特徴とする請求項５記載の炭酸温水による頭皮及び毛髪の美容方法。
【請求項７】
頭部に液体を収容できる構造のキャップ容器を付け、該キャップ容器は空気排出管路の開口部を上部に配置し、液体の給排水管路開口部をキャップ容器のいずれかの位置に配置したものであり、前記キャップ容器とホースなどで連通した連通管路を有する充填容器と、該充填容器のキャップ部又は容器内いずれかの底部近傍に炭酸温水用管路開口部を配置させ、他方空気用管路開口部が前記炭酸温水用管路開口部と反対側の位置に配置されているものにおいて。前記充填容器を頭部の位置より高くして前記キャップ容器内に水位差を利用して炭酸温水を送り込み、前記連通管路を閉鎖して前記キャップ容器内に炭酸温水を保つようにして行うことを特徴とする請求項５記載の炭酸温水による頭部の美容方法。
【請求項８】
頭部に液体を収容できる構造のキャップ容器を付け、該キャップ容器は空気排出管路の開口部を上部に配置し、液体の給排水管路開口部をキャップ容器のいずれかの位置に配置したものであり、前記キャップ容器とホースなどで連通した連通管路を有する非液密型容器と、該非液密型容器の底部近傍に炭酸温水用管路開口部を配置させているものにおいて。前記非液密型容器を頭部の位置より高くして前記キャップ容器内に水位差を利用して炭酸温水を送り込み、前記連通管路を閉鎖するか、又は前記充填容器を前記キャップ容器より高い位置に保って前記キャップ容器内に炭酸温水を保つようにして行うことを特徴とする請求項５記載の炭酸温水による頭部の美容方法。
【請求項９】
前記炭酸温水は桶などの容器に溜められており、その溜められた炭酸温水をポンプなどで吸い上げて前記お面容器及び前記キャップ容器に送り、これらの容器から、排出される炭酸温水を再び前記桶などの容器に戻すことを特徴とする請求項１及び５項に記載の美容方法
【請求項１０】
前記炭酸温水は温水に重炭酸ナトリウムと有機酸又は有機酸塩を加えて生成するものであることを特徴とする請求項１乃至８記載の美容方法。
【請求項１１】
前記炭酸温水は桶などの容器に溜められたお湯を前記お面容器へ送水する途中で、炭酸ガス混合手段により前記お湯に炭酸ガスを溶解させる工程により生成される炭酸温水で、お面容器及びキャップ容器から排出された炭酸温水を再び前記桶などの容器に戻すことを特徴とする請求項１及び５項に記載の美容方法。
【請求項１２】
前記お面容器及びキャップ容器の内側面又は外側面に保温部材を配置したことを特徴とする請求項１から１１に記載の美容方法
【請求項１３】
前記炭酸温水にアミノ酸類やアミノ酸から作られた炭素数１４以下のナノ化したセラミド類似物質やトリハロース等の糖類やピロリドンカルボン酸ナトリウムなどの肌湿潤効果物質およびパルミチン酸などの油脂を有するアスコルビン酸−２−リン酸−６−パルミチン酸、やパルチミン酸以外の油脂が結合した活性型ビタミンＣ又はリン酸Ｌ−アスコルビルマグネシウムやリン酸Ｌ−アスコルビルナトリウム、また漢方の甘草エキス、などのいずれか１つ又は数種の美容剤を添加することを特徴とする請求項１から１１に記載の美容方法
【請求項１４】
食塩や岩塩、硫化水素塩を含む岩塩または硫化水素塩などを用いて、前記炭酸温水に塩化ナトリウムや遊離硫化水素のいずれか少なくても１つを溶解させることを特徴とする請求項１から１１に記載の美容方法
【請求項１５】
お面のように顔に装着し顔とお面との間に炭酸温水を溜められるお面容器であり、顔とお面容器との液漏れを防ぐパッキンを有し、該お面容器は空気排出管路の開口部を上部に有し、液体の給排水管路開口部をお面容器の下部に有し、該お面容器に溶存炭酸ガス濃度が５００ｐｐｍ以上で湯温が３０℃以上の炭酸温水を収容し、この状態で呼吸ができるように口の周辺と鼻の穴を柔らかく押さえる軟質パッキンを具備し、口の部分が外気と連通する装着状態を維持し、少なくとも３分以上炭酸温水を顔に接触させられる機構を有し、且つ、前記お面容器の給排水管路開口部とホース管路で連通した充填容器を有し、該充填容器の水底部近傍に炭酸温水用管路開口部を配置させ、前記充填容器に前記炭酸温水を所定量充填し、前記充填容器を顔の位置より高くして前記お面容器内に水位差を利用して炭酸温水を送り込み、前記ホース管路を閉鎖する機構、又は前記充填容器を前記お面容器より高い位置に保つ機構有し前記お面容器内に炭酸温水を保持させることを特徴とする美容機器。
【請求項１６】
お面のように顔に装着し顔とお面との間に炭酸温水を溜められるお面容器であり、顔とお面容器との液漏れを防ぐパッキンを有し、該お面容器は空気排出管路の開口部を上部に有し、液体の給排水管路開口部をお面容器の下部に有し、該お面容器に溶存炭酸ガス濃度が５００ｐｐｍ以上で湯温が３０℃以上の炭酸温水を収容し、この状態で呼吸ができるように口の周辺と鼻の穴を柔らかく押さえる軟質パッキンを具備し、口の部分が外気と連通する装着状態を維持し、少なくとも３分以上炭酸温水を顔に接触させられる機構を有し、且つ、前記お面容器の空気排出管路と給排水管路開口部をそれぞれホース管路で連通した液密に保てる充填容器を有し、該充填容器のキャップ部又は容器内いずれかの水底部近傍に炭酸温水用管路開口部を配置させ、他方空気用管路開口部を前記炭酸温水用管路開口部と反対側に有し、前記充填容器に前記炭酸温水を所定量充填し前記キャップを液密に閉めて、前記充填容器を顔の位置より高くして前記お面容器内に水位差を利用して炭酸温水を送り込み、前記２本のホース管路の少なくても１つを閉鎖する機構、又は前記充填容器を前記お面容器より高い位置に保つ機構を有し、前記お面容器内に炭酸温水を保持させることを特徴とする美容機器。
【請求項１７】
炭酸温水を溜めておく容器を有し、該炭酸温水を吸い上げるポンプを有し、顔に装着するお面容器を有し、該お面容器の顔に接触する部分に水漏れ防止用のパッキンを有し、前記お面容器に炭酸温水を注入する注入部と炭酸温水を排出する排出部を有し、前記容器からポンプで吸い上げた炭酸温水を前記お面容器に送水する送水管路を有し、該送水管路は前記注入部に接続され、前記お面容器から排出された炭酸温水を前記容器に戻す戻し管路を有し、前記お面容器内に空気や炭酸ガスなどが残らないようにして顔の炭酸温水美容を行える機構を有することを特徴とする炭酸温水による美容機器。
【請求項１８】
お湯を溜める容器を有し、前記お湯を吸い上げるポンプを有し、炭酸ガスを供給するボンベを有し、炭酸ガスの圧力を調整する圧力調整器を有し、前記ポンプで吸い上げたお湯と炭酸ガスとを接触混合する混合タンクを有し、炭酸ガスの混合タンクへの供給を遮断する開閉弁を有し、顔に装着するお面容器を有し、該お面容器の顔に接触する部分に水漏れ防止用のパッキンを有し、お面容器に炭酸温水を注入する注入部を前記お面容器のいずれかの位置に有し、炭酸温水を排出する排出部を前記お面容器の上部に有し、前記混合タンクで生成された炭酸温水を前記お面容器に送水する送水管路を有し、該送水管路は前記注入部に着脱自在に接続され、お面容器の排出部から排出された炭酸温水を前記容器に戻す循環管路を有することを特徴とする炭酸温水による美容機器
【請求項１９】
前記顔とお面との液漏れを防ぐパッキンが板状のシリコンゴム等のゴム製品の中央部に楕円形に近い開口部を有するものか、又は市販の極めて柔らかいジェル状の充填剤を充填した外部をウレタンやシリコン又は発泡クロロプレンなどで被覆した成形パッキンであるか、軟質発泡ポリウレタンの成形品であるか前記パッキンが中空構造で内部に気体又は液体を充填したものであることを特徴とする請求項１５乃至１８記載の美容器具。
【請求項２０】
前記お面容器が頭部に液体を収容できる構造のキャップ容器であり、該キャップ容器は空気排出管路の開口部を上部に有し、液体の給排水管路開口部を前記キャップ容器のいずれかの位置に有し、前記キャップ容器と頭部との液漏れを防ぐパッキンを有する容器であることを特徴とする請求項１５乃至１９記載の美容器具。
【請求項２１】
前記おお面容器及びキャップ容器内の空気排出管路出口部に浮力を利用した液漏れ防止用逆止弁を配置したことを特徴とする請求項１乃至８及び１５と１６項記載の美容機器。